(57)【要約】      （修正有）【課題】施設内の未利用の空間の有効利用を図るとともに、直接的な企業広告を規制している施設等において容易に受入が可能なコミュニケーション媒体の提供方法を提供する。【解決手段】空間を提供する用意のある施設３０を募集し、施設３０に所定のコンセプトを有する形態で、コミュニケーション媒体の設置を提案し、コンセプトに同意して応募した施設３０の空間に、所定のコンセプトの形態でのコミュニケーション媒体の提供を希望するスポンサーを募集し、空間に、コミュニケーション媒体を所定のコンセプトを有する形態で付設するとともに、コミュニケーション媒体に関しスポンサーになった企業等２０に関する情報を表示する。【選択図】図１
2013020596.tif 000002
【特許請求の範囲】
【請求項１】
所定のコンセプトを有する形態で施設内に設けられ、前記施設と前記施設の利用者との間のコミュニケーションを図るとともに、前記施設内で、企業等と前記利用者との間のコミュニケーションを図るコミュニケーション媒体の提供方法であって、前記コミュニケーション媒体の設置にあたって前記施設と前記企業等とを周旋する仲介者と、前記施設及び／又は前記企業等とを通信回線で結び、前記施設、前記企業等及び前記仲介者の中のいずれか一つが、前記所定のコンセプトを有する形態で前記コミュニケーション媒体を前記施設に設置することを提案する段階と、前記コミュニケーション媒体の設置を提案又は前記コミュニケーション媒体の設置に同意した前記施設が、前記コミュニケーション媒体を設置するための空間を提供する段階と、前記施設の前記空間に、前記所定のコンセプトを有する形態での前記コミュニケーション媒体の提供を希望するスポンサーを募集する段階と、前記コミュニケーション媒体の設置者が、前記施設から提供された前記空間に、前記コミュニケーション媒体を設置し、スポンサーになった前記企業等に関する情報を前記コミュニケーション媒体に関して表示する段階と、を有することを特徴とするコミュニケーション媒体の提供方法。
【請求項２】
前記コミュニケーション媒体の設置及び管理に要する費用を、スポンサーになった前記企業等が負担することを特徴とする請求項１に記載のコミュニケーション媒体の提供方法。
【請求項３】
前記コミュニケーション媒体の近傍に端末装置を設置し、この端末装置に表示された案内にしたがって前記端末装置を操作することによって、前記端末装置の画面に前記企業等の情報を表示することを特徴とする請求項１又は２に記載のコミュニケーション媒体の提供方法。
【請求項４】
前記端末装置を通信回線に接続し、前記通信回線を介して前記施設の利用者が前記企業等にアクセスできるようにしたことを特徴とする請求項３に記載のコミュニケーション媒体の提供方法。
【請求項５】
前記空間を提供する用意のある前記施設を、前記通信回線を介して募集し、応募のあった前記施設及び前記空間に関する情報を、前記仲介者が登録することを特徴とする請求項１〜４のいずれかに記載のコミュニケーション媒体の提供方法。
【請求項６】
スポンサーとなる前記企業等を前記通信回線を介して募集し、応募のあった前記企業等に関する情報を、前記仲介者が登録することを特徴とする請求項１〜５のいずれかに記載のコミュニケーション媒体の提供方法。
【請求項７】
前記施設の募集、スポンサーの募集、前記企業等に関する情報の提供又は前記企業等へのアクセスを、前記仲介者が提供するＷｅｂサイトを介して行うことを特徴とする請求項３〜６のいずれかに記載のコミュニケーション媒体の提供方法。
【請求項８】
応募のあった前記施設、前記空間及び応募のあった前記企業等に関する前記情報を前記施設及び前記企業等に対して開示し、前記施設又は前記企業等が任意に、一つ又は複数の前記企業等又は前記施設を選択できるようにしたことを特徴とする請求項１〜７のいずれかに記載のコミュニケーション媒体の提供方法。
【請求項９】
前記コミュニケーション媒体が、所定の有害物質を除去して前記施設内の空気を浄化する作用のある所定の植物であり、前記コンセプトには「施設内の空気の清浄化」が含まれることを特徴とする請求項１〜８のいずれかに記載のコミュニケーション媒体の提供方法。
【請求項１０】
前記施設が医療施設であることを特徴とする請求項１〜９のいずれかに記載の施設におけるコミュニケーション媒体の提供方法。
【請求項１１】
前記コミュニケーション媒体の設置者が、前記仲介者であることを特徴とする請求項１〜１０のいずれかに記載のコミュニケーション媒体の提供方法。
【発明の詳細な説明】
【発明の詳細な説明】
【技術分野】
【０００１】本発明は、利用者が五感で接することで何らかの情報を得ることができるコミュニケーション媒体の提供方法に関し、特に、前記コミュニケーション媒体の設置に必要な空間を提供する用意のある病院、学校、駅、競技場、劇場、デパート等の施設と、当該施設に対して前記コミュニケーション媒体の提供を希望する民間企業、公営企業、団体又は個人等（以下、企業等と記載する）との間を仲介者が周旋し、主として前記施設における未利用の空間の有効利用を図るとともに、コミュニケーション媒体を介して、施設と利用者及び企業等と利用者の間のコミュニケーションを可能にするコミュニケーション媒体の提供方法に関する。
【背景技術】
【０００２】病院や駅、学校等のように、多数の人が集まる施設においては、例えば柱と柱の間や、階段の下などに、広大な未利用の空間を有していることが多い。このような未利用の空間は、何かを設置して空間の有効利用を図ることが望ましい。しかしながら、多数の人が利用するという性質上、広大な面積を有することの多い前記施設において、前記未利用の空間に何かを設置するには、莫大な資金が必要となり、資金的に余裕の無い前記施設が、このような空間の有効利用を図るのは事実上困難である場合が多い。【０００３】また、病院や学校等の公共施設が地域社会に果たす役割は年々増大してきている。特に、今後ますますの進展が予想される高齢化社会、長寿社会及び少子化社会等においては、これらの公共施設が、単に病気の治療や子どもの教育だけでなく、広く地域社会の福利厚生等に大きな役割を果たすことが期待されている。しかし、病院や学校等は、その目的が病気の治療や子どもの教育といった偏った印象を地域住民に与えているのが現状で、医療・厚生機関としての病院と地域住民とのコミュニケーション、教育機関としての学校と地域住民とのコミュニケーションといった公共施設と地域住民とのコミュニケーションが十分に図られておらず、これら公共施設が、地域社会に果たす役割を拡大するための大きな障壁の一つになっている。【０００４】一方において、民間企業等においては、多くの人が集まる場所に、自社の社名や取り扱い製品又は企業のキャッチフレーズ等を含む自社ＰＲを行うことで、多くの人とのコミュニケーションを図り、社会における自社の認知度を高め、あるいは新たな顧客開拓の機会を作り出すことを期待している。特に、各社間で製品やサービスの差別化が困難化してきている近年においては、自社ＰＲによる企業イメージや企業名の認知度の高さが、消費者が製品やサービスを購入する際における、重要な選択肢の一つになってきていて、各企業間における広告競争も激化してきている。そのため、多くの人が集まる上記のような施設に自社の広告を設置し、この広告を通して自社に関する情報をより多くの人に提供し、前記広告を見た人との間で何らかのコミュニケーションを図りたい、と希望する企業等は多い。【０００５】しかし、病院や学校、図書館といった一部の施設では、民間企業等の直接的な広告を禁止又は一定の規制を設けているところが多い。また、駅や競技場においても、施設の美観や、周囲の環境に与える影響等を考慮して、広告の設置場所や大きさ等に一定の制限を課しているところが多い。そして、このような規制や制限は、今後ますます強化されることが予想されている。
【発明が解決しようとする課題】
【０００６】本発明は、上記した施設及び企業等の問題点を解決するために提案されたもので、特に、未利用の空間の有効利用を図りたいと希望する施設を募集し、当該施設の未利用の空間へのコミュニケーション媒体の設置を企業等に対して紹介し、スポンサーになった前記企業等の負担によって、前記未利用の空間にコミュニケーション媒体を設置して前記空間の有効利用を図るとともに、直接的な企業広告を規制している施設や、美観等を理由に広告に一定の制限を課している施設においても、容易に受入が可能なコミュニケーション媒体の提供方法を提供することを目的とする。また、本発明は、一定のコンセプトを有する形態で設置されたコミュニケーション媒体を介して、前記企業等と施設の利用者とのコミュニケーションを図るだけでなく、前記施設と前記利用者とのコミュニケーションを図ることで、前記施設に対する利用者（例えば、施設が設けられている地域の住民）の認識を変えさせ、前記施設が社会に果たす役割を増大させることができるようにすることを目的とする。
【課題を解決するための手段】
【０００７】上記目的を達成するために、請求項１に記載の発明は、一定のコンセプトを有する形態で施設内に設けられ、前記施設と前記施設の利用者との間のコミュニケーションを図るとともに、前記施設内で、企業等と前記利用者との間のコミュニケーションを図るコミュニケーション媒体の提供方法であって、前記コミュニケーション媒体の設置にあたって前記施設と前記企業等とを周旋する仲介者と、前記施設及び／又は前記企業等とを通信回線で結び、前記施設、前記企業等及び前記仲介者の中のいずれか一つが、前記所定のコンセプトを有する形態で前記コミュニケーション媒体を前記施設に設置することを提案する段階と、前記コミュニケーション媒体の設置を提案又は前記コミュニケーション媒体の設置に同意した前記施設が、前記コミュニケーション媒体を設置するための空間を提供する段階と、前記施設の前記空間に、前記所定のコンセプトを有する形態での前記コミュニケーション媒体の提供を希望するスポンサーを募集する段階と、前記コミュニケーション媒体の設置者が、前記施設から提供された前記空間に、前記コミュニケーション媒体を設置し、スポンサーになった前記企業等に関する情報を前記コミュニケーション媒体に関して表示する段階とを有する方法としてある。
【０００８】この方法によれば、施設から提供された空間に、スポンサーとなった企業等の負担で、コミュニケーション媒体が提供される。施設や企業等の間の周旋を仲介者が行うようにすることで、空間を提供する施設と、この施設にコミュニケーション媒体を提供したいと考えている企業との最適な組み合わせを実現することができる。ここで、「コミュニケーション媒体」とは、施設の利用者の五感（視覚、聴覚、触覚、嗅覚及び味覚）に訴えて、前記利用者に何らかの情報を与え、かつ、当該情報に対して前記利用者が何らかの反応を示すことを期待して設けられる媒体をいう。例えば、施設内の緑化による環境改善及び施設内の空気の浄化をコンセプトとする形態である種の植物をコミュニケーション媒体として提供し、このコミュニケーション媒体の提供者として、スポンサーである企業等の名称やキャッチフレーム等を表示する。前記コミュニケーション媒体を通して前記コンセプトを施設の利用者に伝えることで、前記施設と前記利用者とのコミュニケーションが可能になる。
【０００９】また、所定のコンセプトを有する形態で前記植物（コミュニケーション媒体）を配置し、前記コンセプトとの関連で企業ＰＲ等を行うようにすることで、直接的な広告を規制する病院等の施設でも、間接的に企業広告が可能になる。また、特定の施設に集まる特定の利用者層をターゲットに、集中的に広告を行うことができる点で有利である。このように、本発明によれば、空間を提供した施設、スポンサーとなった企業等及び施設の利用者のいずれにも利益をもたらすことができる。
【００１０】請求項２に記載の発明は、前記コミュニケーション媒体の設置及び管理に要する費用を、スポンサーになった前記企業等が負担する方法としてある。この方法によれば、コミュニケーション媒体の設置だけでなく、その後の維持及び管理に要する費用はスポンサーとなった企業等が全て負担するので、施設は未利用になっている空間を提供するだけでよく、その後は何らの経費及び人手もかからない。そのため、財政や人員に余裕が無い施設であっても、前記空間の有効利用や施設内の環境の改善等を図ることができる。
【００１１】請求項３に記載の発明は、前記コミュニケーション媒体の近傍に端末装置を設置し、この端末装置に表示された案内にしたがって前記端末装置を操作することによって、前記端末装置の画面に前記企業等の情報を表示する方法としてある。この場合、請求項４に記載するように、前記端末装置を通信回線に接続し、前記通信回線を介して前記施設の利用者が前記企業等にアクセスできるようにするとよい。この方法によれば、前記施設の利用者が、スポンサーになった企業等に関する詳細な情報を、前記端末装置を介して得ることができる。また、企業等は、前記端末を介して、不特定多数の人に自社のＰＲや製品紹介等を行うことができる。
【００１２】請求項５に記載の発明は、前記空間を提供する用意のある前記施設を、前記通信回線を介して募集し、応募のあった前記施設及び前記空間に関する情報を、前記仲介者が登録する方法としてある。この方法によれば、多くの人が集まる特定の施設にコミュニケーション媒体を提供したいと考えている企業等に対し、予め登録された施設のリスト及び空間に関する情報を提供することが可能になる。企業等は、これら施設や空間の中から、自社の広告に最も効果的なものを選択することができる。
【００１３】請求項６に記載の発明は、スポンサーとなる前記企業等を前記通信回線を介して募集し、応募のあった前記企業等に関する情報を、前記仲介者が登録する方法としてある。この方法によれば、施設の側においても、コミュニケーション媒体を提供するスポンサーとなる企業等を、登録された企業等の中から任意に選択することが可能になる。
【００１４】請求項７に記載の発明は、前記施設の募集、スポンサーの募集、前記企業等に関する情報の提供又は前記企業等へのアクセスを、前記仲介者が提供するＷｅｂサイトを介して行う方法としてある。この方法によれば、不特定多数の施設や企業等を広く募集することができ、かつ、施設や企業等においても応募をきわめて簡単に行うことができる。また、国内だけでなく、広く海外からも、スポンサーを希望する企業等を募集することが可能である。さらに、自社のＷｅｂサイトを有していない中小の企業等であっても、仲介者が準備したＷｅｂサイト上で自社に関する情報の提供や自社ＰＲ等を行うことが可能になる。
【００１５】請求項８に記載の方法は、応募のあった前記施設、前記空間及び応募のあった前記企業等に関する前記情報を前記施設及び前記企業等に対して開示し、前記施設又は前記企業等が任意に、一つ又は複数の前記企業等又は前記施設を選択できるようにした方法としてある。この方法によれば、施設又は企業等が、開示された情報の中から任意の企業等や施設を互いに選択することが可能になる。そして、仲介者が、選択された施設及び企業等を周旋することにより、迅速で円満な契約の締結を行うことが可能になる。
【００１６】請求項９に記載の発明は、前記コミュニケーション媒体が、所定の有害物質を除去して前記施設内の空気を浄化する作用のある所定の植物であり、前記コンセプトには「施設内の空気の清浄化」が含まれる方法としてある。このようなコンセプトでコミュニケーション媒体としての植物を提供する施設としては、請求項１０に記載するように、病院などの医療施設であることが好ましい。この方法によれば、例えば病院等の施設において、未利用の空間に所定の植物を配置することにより、施設内の緑化による環境の改善を図ることができるとともに、当該植物の有する空気の浄化作用によって、病院等の施設内における有害物質を除去することができ、施設内の空気の清浄化を図ることができる。
また、上記コンセプトを表現する形態で植物を配置することで、病院内に多くの人が集まりやすい空間を作り出し、今までの病院のイメージを一新することができる。また、企業等においては、このような作用を有する植物をコミュニケーション媒体として提供することで、環境改善に取り組んでいる自社の姿勢を不特定多数の人に積極的にアピールすることができ、企業イメージの向上を図ることができる。
【００１７】コミュニケーション媒体の設置は、コミュニケーション媒体ごとに、仲介者が指定する設置者が行ってもよいが、請求項１１に示すように、コミュニケーションの設置者が仲介者であってもよい。
【発明を実施するための形態】
【００１８】以下、本発明の好適な実施形態を、図面を参照しながら詳細に説明する。まず、図１を参照しながら、本発明の発明概念を説明する。仲介者１０は、病院や学校等の施設３０に対して、コミュニケーション媒体を設置するための空間を募集するとともに、病院や学校等の施設３０に応じた空間利用のコンセプトを提案する。例えば、施設３０が病院である場合には、コミュニケーション媒体は、院内の空気を浄化する作用のある植物であり、そのコンセプトは、「院内の緑化による院内環境の改善と空気の清浄化」である。
【００１９】このようなコミュニケーション媒体としては、例えば、アルコールやアセトン、ホルムアルデヒド等の揮発性有機化合物を除去する作用のあるカマエドレアやシンゴニウム等の植物が挙げられる。なお、施設内に提供する空気中の揮発性化学物質を除去し、空気の清浄化を図ることのできる高機能観葉植物寄せ植えが、本願出願人による特願平１０−２９５５７号で提案されている。前記コンセプトの提案は、施設３０側から仲介者１０に対して行われてもよいし、企業等２０から仲介者１０又は施設３０に対して行われてもよい。仲介者１０は、施設３０又は企業等２０から提案されたコンセプトに応じたコミュニケーション媒体及びその提供の形態を、施設３０に対して提案する。
【００２０】応募する施設３０は、提供する用意のある空間に関する情報を、仲介者１０に対して提供する。この情報には、空間の位置や広さ等が含まれる。仲介者１０は、民間企業、公営企業又は個人等の企業等２０に対して、スポンサーを募集する。このとき、応募のあった施設３０及び当該施設３０が提供する用意のある空間に関する情報及び前記のコンセプトを、企業等２０に対して提供するようにするとよい。
【００２１】スポンサーになることを希望する企業等２０は、情報提供された施設３０、空間及びコンセプトの中から、適当なものを選択して仲介者１０に連絡する。このようにして応募された企業等２０に関する情報は、施設３０側に連絡される。施設３０側及び企業等２０側とで同意が得られれば、仲介者１０によって派遣された設置者が、施設３０内の前記空間に、予め取り決められたコンセプトにしたがって、コミュニケーション媒体を設置する。コミュニケーション媒体の設置は、仲介者１０が行ってもよい。このコミュニケーション媒体に対しては、スポンサーとなった企業等２０に関する情報が、仲介者１０から企業等２０に対して予め提示された形態で表示される。
【００２２】コミュニケーション媒体を設置するための費用及びコミュニケーション媒体の維持，管理費用は、予め締結された企業等２０との契約に基づいて、企業等２０が負担する。すなわち、施設３０側は、未利用の空間を提供するだけで、その後は何ら費用も発生せず、かつ、人手をかけることなく、前記空間の有効利用と施設内の環境の改善等を図ることができるものである。一方、コミュニケーション媒体を提供したスポンサーである企業等２０は、多数の人が利用する施設３０内の目立つところに、自社の社名や企業キャッチフレーズ等を表示することで、社会に対して自社の認識度を高めることができる。また、前記コンセプトを通して、企業イメージの向上を図ることができる。さらに、施設３０を利用する特定層の利用者４０に企業等２０へのアクセスを可能にすることで、新たな顧客開拓の機会を、企業等２０に与えることができる。
【００２３】本発明のより詳細な実施形態を、図２〜図１２を参照しながら説明する。以下の実施形態では、多くの人が集まる施設３０の一例として病院（以下、病院３０と記載する）を挙げ、院内緑化による空気の清浄化というコンセプトの下、病院３０内の空間に対して、植物を主体とするコミュニケーション媒体を提供するものとして説明する。図１２は、病院３０の待合室の一角を示す平面図である。図１２に示すように、病院の待合室１にはソファー４が並べられている。待合室１の両側には通路２，３が設けられ、通路２，３と待合室１との間には柱６が立設されている。柱６，６の間の空間Ｓ１，Ｓ２が、病院３０から提供された未利用の空間である。
【００２４】病院３０内のこのような空間Ｓ１，Ｓ２は、通常は、企業等による広告が規制されている領域である。この未利用の空間Ｓ１，Ｓ２に、「院内緑化による空気の清浄化」というコンセプトの下、植物の鉢植え７が所定の形態で配置される。鉢植え７の設置及び維持，管理の費用は、提示された前記のコンセプトに同意して応募したスポンサーの企業等２０が負担する。
【００２５】スポンサーとなった企業等２０は、病院３０側の提示したコンセプト、すなわち、院内緑化に協力していることを、企業名や企業等２０のキャッチフレーズを含む自社ＰＲとともに、空間Ｓ１，Ｓ２内の目立つ位置に設けたプレート８Ａ，８Ｂに表示することができる。このようにすることで、間接的に企業等２０の広告を行うことが可能になる。また、鉢植え７に植えられた植物名とともに、その植物の院内環境に対する効能、例えば、ホルムアルデヒド除去率や、アンモニア除去率等を、プレート８Ａ，８Ｂに併記するとよい。
【００２６】待合室１の前方のロビー５には、端末装置１５が設置されている。この端末装置１５は、スポンサーである企業等２０に関する情報を、利用者４０に対して提示するためのものである。この端末装置１５は、利用者がゲーム感覚でタッチパネル式の画面に触れることにより、任意の企業等２０の会社概要や事業内容、取り扱い製品，サービス内容などを知ることができるようになっている。また、この端末装置１５は通信回線と接続されていて、スポンサーである特定の企業等２０にアクセスすることができるようになっている。
【００２７】スポンサーを希望する企業等２０の募集は、通信回線を利用して行うことができる。図２は、スポンサーを希望する企業等２０を募集するために通信回線を用いたシステムの構成図、図６は通信回線を用いてスポンサーを募集するときの手順を説明する流れ図である。
【００２８】図２（ａ）に示すように、スポンサーとなるべき企業等２０の端末装置（パソコン）２１は、通信回線５０を介して、仲介者１０が提供するＷｅｂサイト１１に接続可能になっている。また、病院３０のロビー５（図１２参照）に設置された端末装置１５も、通信回線５０を介して企業等２０の端末装置２１にアクセスが可能であるとともに、Ｗｅｂサイト１１に接続可能になっている。仲介者１０は、Ｗｅｂサイト１１を介して、未利用の空間を有効に活用したいと希望している病院を、企業当２０に対して紹介する。空間を提供しようとする病院３０及び前記空間に関する情報、当該空間に設置するコミュニケーション媒体の提供において提案されるコンセプト等は、予め仲介者１０のデータベース１２に登録されている。
【００２９】図２（ｂ）に示すように、データベース１２には、企業等２０の端末装置２１の画面（ｗｗｗブラウザ）に表示させるサービスメニューに関する情報を記憶するサービスメニュー画面情報記憶部１２ａと、仲介者１０が提供しようとするコミュニケーション媒体に関する情報を記憶するコミュニケーション媒体情報記憶部１２ｂと、スポンサーとなることを希望して応募してきた企業等２０に関する情報を記憶する企業等登録画面情報記憶部１２ｃと、仲介者１０の提案したコンセプトに同意して応募してきた施設３０に関する情報を記憶する施設登録画面情報記憶部１２ｄと、成立した契約に関する情報を記憶する契約内容情報記憶部１２ｅとが設けられている。
【００３０】データベース１２に記憶されている内容は、通信回線５０を介した企業等２０の端末装置２１の指示により、適宜に読み出し、書き込み及び変更，削除が可能である。通信回線５０を介して入力された入力情報は、モデム等の入出力部１１ａを介して処理部１１ｂに送られる。処理部１１ｂは、前記入力情報に基づいてデータベース１２内の各記憶部１２ａ〜１２ｅの記憶内容を検索し、前記入力情報に関連する所定の記憶情報をデータベース１２から読み出す。そして、前記入力情報に含まれる指示にしたがって、前記記憶情報の書き込み及び変更，削除等を行う。この結果は、入出力部１１ａを介して、企業等２０の端末装置２１のディスプレイに表示させることが可能である。
【００３１】前記したコミュニケーション媒体記憶部１２ｂには、「植物」，「動物」，「モニュメント」等のコミュニケーション媒体の種類、リラクゼーション効果や空中有害物質の除去率等のコミュニケーション媒体の効能や作用、設置費用や維持・管理費用等の料金に関する事項等が記憶される。企業等登録画面情報記憶部１２ｃには、図３に示すように、企業名、住所、電話番号、ＦＡＸ番号、担当部署名、担当者名、Ｅメールアドレス、希望する口数の他、スポンサーを希望する施設名、コミュニケーション媒体の形態、契約期間、単価等を含む情報が記憶される。
【００３２】施設登録画面情報記憶部１２ｄには、図４に示すように、施設名、所在地、設置を希望するコミュニケーション媒体、当該媒体の設置形態、媒体設置場所（空間）のレイアウト、希望する設置期間、その他スポンサーに対する希望事項（スポンサー数、スポンサーとなる企業等の表示箇所）等を含む情報が記憶される。なお、上記情報の他に、スポンサーとなる企業等及び企業名等の表示に関する禁止事項、コンセプト、過去の契約履歴等に関する情報が含まれてもよい。契約内容情報記憶部１２ｅには、企業等２０及び施設３０と交わした契約内容の詳細、例えば、契約期間や設置の時期、料金の支払い方法や支払い先、支払い条件、広告禁止事項等が記憶される。これら、各記憶部１２ｂ〜１２ｅに記憶されている内容は、一覧表として企業当２０の端末装置２１のディスプレイに表示させることが可能である。
【００３３】図６に示すように、コミュニケーション媒体を提供しようとする企業等２０は、通信回線５０を介して、仲介者１０のＷｅｂサイト１１に接続する（ステップＳ１１）。Ｗｅｂサイト１１からは、企業等２０の端末装置２１に対して、サービスメニュー画面が送信される（ステップＳ１２）。このサービスメニュー画面には、例えば、図５に示すように、コミュニケーション媒体の設置を希望する施設等に関する情報の検索、コミュニケーション媒体の種類や料金に関する情報の検索が含まれる。前記サービスメニュー画面には、上記の他に、仲介者１０や施設が提案しているコンセプトの内容検索や、コミュニケーション媒体の提供形態の検索等が含まれてもよい。企業等２０の端末装置２１は、受信した前記サービスメニュー画面をディスプレイに表示する（ステップＳ１３）。
【００３４】今、前記サービスメニュー画面の中から「コミュニケーション媒体情報検索」を選択したとすると（ステップＳ１４）、その結果が仲介者１０のＷｅｂサイト１１に送信される。Ｗｅｂサイト１１からは、コミュニケーション媒体情報検索画面情報が企業等２０の端末装置２１に送信される（ステップＳ１５）。これにより、企業等２０の端末装置２１のディスプレイに、コミュニケーション媒体に関する情報が表示される（ステップＳ１６）。このコミュニケーション媒体情報には、仲介者１０によって提供が可能なコミュニケーション媒体の種類、あるいは、施設が設置を希望しているコミュニケーション媒体の種類（例えば、モニュメント、置物、人形、動物及び植物等）が含まれている。
【００３５】企業等２０の側で、端末装置２１を操作して、所望のコミュニケーション媒体の条件、例えば、「グリーン（植物）」を入力すると（ステップＳ１７）、これを受信した仲介者１０のＷｅｂサイト１１では、データベース１２内の検索が行われ（ステップＳ１８）、検索結果の一覧が企業等２０の端末装置２１に送信される（ステップＳ１９）。これを受信した企業等２０の端末装置２１のディスプレイには、仲介者１０によって提供が可能な植物又は施設が設置を希望している植物の一覧が表示される（ステップＳ２０）。この表示画面には、当該コミュニケーション媒体に関する情報が表示されるようにするとよい。
【００３６】コミュニケーション媒体として「グリーン（植物）」を選択した場合の表示画面の一例を、図７に示す。図示するように、コミュニケーション媒体として「グリーン」を選択した場合には、各植物ごとに、名称や簡単な効能、設置や維持管理のための費用等が表示される。また、図７の一覧の中から任意の植物の欄をクリックすることで、当該植物に関する情報をディスプレイに表示させることが可能である。図８に、図７の一覧の中から、「アレカヤシ」を選択した場合における表示画面の一例を示す。図８に示すように、「アレカヤシ」を紹介する画像や主な特徴、当該植物によるコミュニケーション媒体の受入を表明している病院３０等の施設の紹介を行うようにすることができる。
【００３７】さらに、図８の画面の中から施設に関する欄を選択してクリックすることで、図９に示すように、応募のあった施設に関する情報をディスプレイに表示させることができる。前記施設に関する情報は、データベース１２の施設登録画面情報記憶部１２ｄに記憶されている内容、例えば、施設の名称、施設の所在地、提供されている空間の場所、空間の広さ、必要株数、コンセプト等が表示される。企業等２０は、上記のようにしてデータベース１２の中から次々と情報を読み出し、それらを詳細に検討することで、コンセプト、コミュニケーション媒体及びこのコミュニケーション媒体を提供しようとする施設等を選択することができる。
【００３８】企業等２０は、提供されたこれら情報を検討して、コミュニケーション媒体として提供しようとするコミュニケーション媒体を前記一覧の中から選択し、仲介者１０のＷｅｂサイト１１に送信する（ステップＳ２１）。例えば、コミュニケーション媒体として植物を選択した場合において、図７の一覧の中から「アレカヤシ」を選択する場合このとき、企業等２０に関する情報、例えば、企業の所在地、コミュニケーション媒体に表示する内容、連絡先、支払いの方法、希望契約期間等の契約内容の他に、どの施設に対してコミュニケーション媒体を提供するのかを前記表示画面の中から指定して、Ｗｅｂサイト１１に送信することが可能である。
【００３９】これを受信した仲介者１０のＷｅｂサイト１１では、応募のあった企業等２０に関する情報がデータベース１２の企業等登録画面情報記憶部１２ｃに登録され（ステップＳ２２）、当該登録内容に関する登録画面情報が企業等２０の端末装置２１に送信される（ステップＳ２３）。企業等２０の端末装置２１のディスプレイには、当該登録内容に関する登録画面情報が表示され（ステップＳ２４）、企業等２０でその内容が確認されて、登録が完了する（ステップＳ２５）。登録内容等に誤り又は変更がある場合には、ステップＳ２０〜Ｓ２４までの手順を繰り返す。
【００４０】仲介者１０は、応募のあった企業等２０の情報を、空間を提供しようとする病院３０に提供し、病院３０側に企業等２０の同意を求める。病院３０側が同意をすれば、仲介者１０は、その事実を企業等２０に連絡し、予め締結された契約内容にしたがって、コミュニケーション媒体を病院３０の空間に設置するとともに、コミュニケーション媒体に対してスポンサーである企業等２０に関する表示を、予め締結された契約にしたがって行う。このようにして契約が成立すれば、契約の内容はデータベース１２の契約内容情報記憶部１２ｅに記憶される。
【００４１】病院３０の利用者は、ロビー５等に設置された端末装置１５を操作することによって、スポンサーである企業等２０の中から、任意の企業等２０に関する情報を得ることができる。画面上には、スポンサーである企業等２０の名称が表示されている。その中から、情報の提供を希望する企業を選び、タッチ式パネルの画面に触れる。これにより、当該企業等２０に関する情報、例えば、所在地、事業内容、会社概要、取り扱い製品、サービス、支点所在地等が、端末装置１５に備えられたメモリ等の記憶媒体から読み出されて前記画面上に表示される。
【００４２】また、端末装置１５を、通信回線５０を介してインターネットに接続することで、利用者４０は当該企業等２０が提供するＷｅｂサイトにアクセスすることが可能である。また、前記Ｗｅｂサイトを介して、企業等２０に対して資料の請求や、メールの送信等を行うことができる。なお、独自のＷｅｂサイトを有していない企業等２０に対しては、仲介者１０が所有するＷｅｂサイトを利用することができる。仲介者１０のＷｅｂサイトを利用する企業等２０は、提供したいと思う自社に関する情報を予めデータベース１２に登録しておく。これにより、当該企業等２０に関する様々な情報を病院３０の利用者に提供したり、当該企業等２０に対して、仲介者１０が所有するＷｅｂサイトを介してアクセスすることが可能になる。
【００４３】［他の実施形態］前記の実施形態では、スポンサーの募集のみを通信回線５０を介して行うものとして説明した。以下に説明する実施形態では、スポンサーの募集だけでなく、空間を提供する用意にある施設３０の募集も、通信回線５０を介して行うようにしている。図１０は、この実施形態を説明するためのブロック図で、仲介者１０のＷｅｂサイト１１、スポンサーを希望する企業２０の端末装置２１、病院３０内のロビー５に設けられた端末装置１５の他に、病院３０の端末装置３１が通信回線５０に接続されている。図１１は、通信回線を介して空間を提供する用意のある施設の募集を行った場合の手順を示すフローチャートである。
【００４４】図１１に示すように、未利用の空間を所有している病院３０は、仲介者１０の提供するＷｅｂサイトを介して、仲介者１０のＷｅｂサイト１１に接続する（ステップＳ３１）。Ｗｅｂサイト１１からは、病院３０の端末装置３１に対して、サービスメニュー画面情報記憶部１２ａから読み出されたサービスメニューが送信される（ステップＳ３２）。このサービスメニューには、未利用の空間の有効利用の形態として、仲介者１０が提案するコンセプト、このコンセプトを実現するための媒体（コミュニケーション媒体）等が一覧となって表示される。例えば、病院３０が一覧に表示されたコンセプトの中から「施設内環境の緑化及び空気の清浄化」を選択してＷｅｂサイト１１に送信すると、Ｗｅｂサイト１１からは、データベース１２のコミュニケーション媒体情報記憶部１２ｂの中から、当該コンセプトに対応するコミュニケーション媒体が検索され、その結果が病院３０の端末装置３１に送信される。
【００４５】端末装置３１のディスプレイには、「施設内環境の緑化及び空気の清浄化」を実現するためのコミュニケーション媒体の一つである植物が、一覧表として表示される。この表示画面には、先の実施形態の図７及び図８で説明したように、植物の画像や効能のほか、前記コンセプトに同意して前記植物を提供しようとする企業等２０の紹介が含まれる。病院３０は、空間に設置しようとするコミュニケーション媒体が決まれば、画面の表示にしたがって所定のコミュニケーション媒体（例えば、「アレカヤシ」）を選択し、仲介者１０のＷｅｂサイト１１に送信する（ステップＳ３４）。これを受信したＷｅｂサイト１１からは、スポンサー名等の表記形態例や、記載事項、契約期間（１ヶ月、３ヶ月、半年、１年等）等を含む契約内容が、「コミュニケーション媒体情報登録画面」として端末装置３１に送信される。この画面には、実際のコミュニケーション媒体の施工例を表示させてもよい（ステップ３６）。
【００４６】病院３０は、受入が可能なメニューを画面の指示にしたがって選択し、選択結果を、病院３０の名称や所在地、空間の広さや場所などの情報とともに、Ｗｅｂサイト１１に送信する（ステップＳ３７）。前記空間に関する情報は、単に、「ロビー」や「待合室」、「渡り廊下」といった特定の区画名を用いて入力することができるが、当該病院３０について予め用意されたレイアウトや写真等のデジタル情報を用いて入力することも可能である。予め用意された施設内レイアウトや写真等のデジタル情報を用いて病院３０の空間に関する情報を入力するような場合には、病院３０が選択したコミュニケーション媒体（植物「アレカヤシ」）の画像情報を前記レイアウトや写真等の画像情報に組み合わせて、コミュニケーション媒体を設置したときの病院３０内の状態をシミュレーションすることが可能になる。
【００４７】病院３０の端末装置３１から送られた、前記空間に関する情報及び契約の内容等は、Ｗｅｂサイト１１を介して、データベース１２の施設登録画面情報記憶部１２ｄに記憶される（ステップＳ３８）。Ｗｅｂサイト１１からは、この登録の完了後に、登録の内容を確認するための登録情報確認情報画面が、端末装置３１に対して送信される（ステップＳ３９）。病院３０の端末装置３１には、この確認画面が表示されるので（ステップＳ４０）、病院３０は、登録の内容を確認することができる。登録内容に誤り又は変更がある場合には、ステップＳ３４〜Ｓ４０までの手順を繰り返す。以上により、登録手続が完了する（ステップＳ４１）。
【００４８】本発明の好適な実施形態について説明してきたが、本発明は上記の実施形態により何ら限定されるものではない。例えば、上記の実施形態では、施設の一例として病院を例に挙げて説明したが、施設は病院に限らず、学校や競技場、駅、福祉施設、図書館等、他のあらゆる施設においても本発明を適用することは可能である。また、コミュニケーション媒体の提供のコンセプトは、施設の目的や当該施設に集まる利用者層に応じて適宜に設定することが可能で、かつ、前記コンセプトに応じて、植物に限らず、モニュメントや置物、人形、動物等をコミュニケーション媒体として選択することも可能である。
【００４９】また、上記の実施形態では、予めコンセプトを提案して企業等２０や施設３０を募集するものとして説明したが、仲介者１０の側で予め企業等２０や施設３０募集して会員登録しておき、コンセプトやコミュニケーション媒体が新たに提案されたときに、会員登録されている企業等２０や施設３０の中から適宜のものを抽出し、同意が得られた企業等２０と施設３０とを組み合わせて、コミュニケーション媒体を提供するようにしてもよい。この場合は、各会員ごとにＩＤ番号やパスワードを付しておき、会員からアクセス要求があったときに、データベース１２に予め記憶されたＩＤ番号やパスワードの照合を行い、これらが一致したときに各種の情報が提供できるようにシステムを構成することも可能である。
【発明の効果】
【００５０】本発明によれば、病院や学校、駅等、多くの人が集まる施設において、施設内の未利用空間の利用を有効に図ることができるほか、所定のコンセプトに応じた提供態様で前記コミュニケーション媒体を提供することで、施設内環境の改善等の利益を享受することができる。しかも、前記コミュニケーション媒体の設置費用等はスポンサーになった企業等が負担するので、施設においては一切の費用が生じず、財政的や人員に余裕が無い施設でも、空間の有効利用を図ることが可能である。
【００５１】また、一定のコンセプトを有する形態で前記コミュニケーション媒体を施設の空間に提供することで、前記施設と前記利用者とのコミュニケーションを図ることができる。これにより、前記施設に対する利用者（例えば地域住民）の認識を変えさせることができ、前記施設が地域社会等に果たす役割の増大を期待することができるようになる。
【００５２】さらに、スポンサーである企業等においては、多数の人が集まる施設に自社のＰＲを含む表示を行うことで、施設の利用者とのコミュニケーションを図って、自社に対する社会の認識を高め、企業イメージの向上を図ることができる。また、直接的な企業広告に対して制限が課せられることのある病院や学校等の一部の施設においても、環境改善等といった一定のコンセプトを通して、間接的に自社ＰＲ等を行うことが可能である。
【００５３】また、施設を利用する利用者においては、施設内の環境改善等により施設を利用しやすくなり、かつ、コミュニケーション媒体を介して多くのスポンサー企業を知ることができるほか、特定の企業に対してアクセスを簡単に行うことができるようになる。
【図面の簡単な説明】
【００５４】
【図１】本発明の発明概念を説明するための図である。
【図２】本発明の具体的な実施形態にかかり、コミュニケーション媒体の提供方法を説明するためのシステムのブロック図である。
【図３】データベースの企業等登録画面情報記憶部に記憶された企業等登録画面の一例を示す図である。
【図４】データベースの施設登録画面情報記憶部に記憶された施設登録画面の一例を示す図である。
【図５】企業等の端末装置の画面（ｗｗｗブラウザ）に表示されるサービスメニュー画面の一例を示す図である。
【図６】図２の実施形態における、スポンサーの募集を通信回線を介して行うための手順を説明するフローチャートである。
【図７】コミュニケーション媒体として「グリーン（植物）」を選択した場合の表示画面の一例を示す図である。
【図８】図７の一覧の中から「アレカヤシ」を選択した場合における表示画面の一例を示す図である。
【図９】図８の画面の中から施設に関する欄を選択してクリックすることで、応募のあった施設に関する情報をディスプレイに表示させ状態を示す図である。
【図１０】本発明の他の実施形態にかかるコミュニケーション媒体の提供方法を説明するためのブロック図である。
【図１１】図７の実施形態における、未利用の空間を提供する用意のある施設を通信回線を介して募集するための手順を説明するフローチャートである。
【図１２】本発明の実施形態にかかり、病院内の待合室における未利用空間の配置及びこの空間にコミュニケーション媒体として植物を配置した例を示す平面図である。
【符号の説明】
【００５５】１  病院の待合室
２，３  通路
５  ロビー
７  植物
８Ａ，８Ｂ  プレート
１０  仲介者
１１  Ｗｅｂサイト
１１ａ  入出力部
１１ｂ  処理部
１２  データベース
１２ａ  サービスメニュー画面情報記憶部
１２ｂ  コミュニケーション媒体情報記憶部
１２ｃ  企業等登録情報記憶部
１２ｄ  施設登録情報記憶部
１２ｅ  契約内容情報記憶部
１５  端末装置
２０  企業等
２１  端末装置
３０  病院（施設）
３１  端末装置
４０  利用者
５０  通信回線
Ｓ１，Ｓ２  空間
【図１】
2013020596.tif 000003
【図２】
2013020596.tif 000004
【図３】
2013020596.tif 000005
【図４】
2013020596.tif 000006
【図５】
2013020596.tif 000007
【図６】
2013020596.tif 000008
【図７】
2013020596.tif 000009
【図８】
2013020596.tif 000010
【図９】
2013020596.tif 000011
【図１０】
2013020596.tif 000012
【図１１】
2013020596.tif 000013
【図１２】
2013020596.tif 000014